(57)【要約】【課題】  物体がはっきり見える視覚上の効果が得られ、かつ目の筋の緊張を緩和することができ、使用上便利な目視補助シールを提供する。【解決手段】  シートの一定の範囲内に、該シートを貫通する複数の目視孔を形成する。【選択図】  図１
0003163234.tif 000002
【実用新案登録請求の範囲】
【請求項１】
シートの一定の範囲内に、該シートを貫通する複数の目視孔を形成してなることを特徴とする目視補助シート。
【請求項２】
前記目視孔が栞に複数形成されて、目視補助シートを構成することを特徴とする請求項１に記載の目視補助シート。
【請求項３】
前記前記目視孔が名刺に複数形成されて、目視補助シートを構成することを特徴とする請求項１に記載の目視補助シート。
【請求項４】
前記目視孔が名札に複数形成されて、目視補助シートを構成することを特徴とする請求項１に記載の目視補助シート。
【請求項５】
前記シートの長手方向の両端に同一方向から、眼鏡のつるが挿入される切欠き溝をそれぞれ形成し、かつ前記複数の目視孔が、前記紙製シートの中央に近い位置を挟んで両側の一定の範囲内にそれぞれ形成されることを特徴とする請求項１に記載の目視補助シート。
【考案の詳細な説明】
【技術分野】
【０００１】この考案は、物体を目視する場合に補助効果を与える目視補助シートに関する。
【背景技術】
【０００２】  目下、人は目を使いすぎる。長時間にわたる照明の下での目の使用、目の使用時間、物を見るときの角度、距離、姿勢、そしてこれらの変化によって、近視、遠視などの病的な異常現象が発生する。かかる現象は光の屈折を生後する毛様体筋などの収縮の異常と血液の循環不良などに起因し、結果として、その変形、硬化などによって網膜に像を正確に投射することができなくなる。【０００３】近視であろうと、遠視であろうと、極度に異常現象が進まないかぎり、正常な生活に影響を与えない。視覚上見えるものが変化することはない。軽い近視であれば、どうしても必要でない限りは目鏡をかける必要はない。目鏡をかけることは、生活上において不便なときがある。【０００４】視覚の焦点を集中させれば、目に対する刺激を現象させることができ、同時に目の筋の訓練にもなる。しかし、従来の目鏡は、目の屈折異常を補正する作用を有するが、視覚の焦点を集中させるための補助となる機能を有しない。
【考案の概要】
【考案が解決しようとする課題】
【０００５】  この考案は、物体がはっきり見える視覚上の効果が得られ、かつ目の筋の緊張を緩和することができ、かつ使用に便利な目視補助シートを提供することを課題とする。
【課題を解決するための手段】
【０００６】  そこで、本考案者は、従来の眼鏡と、近視、遠視などの病的な異常現象との関係などについて鋭意研究を重ねた結果、シートの一定の範囲内に、該シートを貫通する目視孔を複数形成してなる目視補助シートによって課題を解決できる点に着眼し、かかる知見に基づいて本考案を完成させた。【０００７】  以下、この考案について具体的に説明する。請求項１に記載する目視補助シートは、シートの一定の範囲内に、該シートを貫通する目視孔を複数形成してなる。【０００８】  請求項２に記載する目視補助シートは、請求項１における目視孔が栞に複数形成されて目視補助シートを構成する。【０００９】  請求項３に記載する目視補助シートは、請求項１における目視孔が名刺に複数形成されて目視補助シートを構成する。【００１０】請求項４に記載する目視補助シートは、請求項１におけるシートが長方形を呈し、かつ該シートの長手方向の両端に同一方向から、眼鏡のつるが挿入される切欠き溝をそれぞれ形成し、かつ前記紙製シートの中央に近い位置を挟んで両側の一定の範囲内にそれぞれ複数の目視孔を形成する。【００１１】  請求項５に記載する目視補助シートは、請求項１における目視孔が名札に複数形成されて目視補助シートを構成する。
【図面の簡単な説明】
【００１２】
【図１】この考案を栞に応用した実施形態の平面図である。
【図２】この考案を栞に応用した他の実施形態の平面図である。
【図３】この考案を名刺に応用した実施形態の平面図である。
【図４】この考案を眼鏡取り付け用シートに応用した実施形態の平面図である。
【図５】この考案を名札に応用した実施形態の平面図である。
【考案を実施するための形態】
【００１３】この考案は、物体がはっきり見える視覚上の効果が得られ、かつ目の筋の緊張を緩和することのできる目視補助シールを提供するものであって、シートに、該シートを貫通する複数の目視孔を形成してなる。かかる目視補助シートの特徴を説明するために、具体的な実施例を挙げ、図面を参照にして以下に詳述する。
【実施例】
【００１４】  図１に、この考案による目視補助シートを栞に応用した実施の形態を開示する。図面によれば、目視補助シート１は紙製であって、栞として使用する。目視補助シート１には、長手方向の一方の側辺から切欠き溝２を形成する。切欠き溝２によって目視補助シート１を二つの部分に分け、本に挟んだ場合の目印とすることができる。【００１５】  目視補助シート１の長手方向の一端には、一定の範囲内に、目視補助シート１を貫通する複数の目視孔３を形成する。この複数の目視孔３を形成した部分を介して物体を目視した場合、はっきり見ることができる。【００１６】  図２に開示するように、目視孔３は目視補助シート１の長手方向の両端に形成してもよく、また目視補助シート１全体に形成する形態（図示しない）であってもよい。【００１７】  さらに、目視孔３をその他紙製、もしくはその他材質のシートに応用してもよい。例えば、図３に開示するように名刺の一部分の一定の範囲内に複数の目視孔３を形成して、目視補助シートの作用を兼ね備えるようにしてもよい。【００１８】  図4に開示する目補助視シート４０は、長手方向の両端に同一方向から切欠き溝４２をそれぞれ形成し、かつ中央に近い位置である非目視補助部４１を挟んで両側の一定の範囲内にそれぞれ複数の目視孔３を形成する。使用する場合は、切欠き溝４２に眼鏡のつるを挿入して眼鏡に着脱自在に取り付ける。【００１９】  図５は、名札５の下端に複数の目視孔３を形成した実施の形態である。【００２０】この考案による目視補助シールは、視覚が目視孔３から得られる。よって、軽度の近視の者が使用した場合、視覚神経と目の筋を効率よく矯正する作用が得られ、近視の度数が高まることを抑制する効果が得られる。  
【符号の説明】
【００２１】１                目視補助シート２                    切欠き溝３                    目視孔５         名札１１        名刺４０        目補助視シート４１                非目視補助部４２                切欠き溝４２ 
【図１】
0003163234.tif 000003
【図２】
0003163234.tif 000004
【図３】
0003163234.tif 000005
【図４】
0003163234.tif 000006
【図５】
0003163234.tif 000007
【手続補正書】
【提出日】平成22年8月4日(2010.8.4)
【手続補正１】
【補正対象書類名】実用新案登録請求の範囲
【補正対象項目名】請求項３
【補正方法】変更
【補正の内容】
【請求項３】
前記目視孔が名刺に複数形成されて、目視補助シートを構成することを特徴とする請求項１に記載の目視補助シート。